(57)【特許請求の範囲】
【請求項１】
表面に凹凸が形成された壁紙を被塗装面とする壁紙の塗装方法であって、
前記表面に凹凸が形成された壁紙の被塗装面の非塗装領域をマスキング材でマスキングするステップと、 
前記マスキング材から露出している壁紙の表面と前記マスキング材の端部に、前記マスキング材の端部に沿って樹脂溶液を塗布し、前記凹凸を有する壁紙の被塗装面と前記マスキング材との間隙に前記樹脂溶液を充填するステップと、
前記塗布された樹脂溶液が前記マスキング材の端部側から前記凹凸を有する壁紙と前記マスキング材の間隙に広がるステップと、
塗布した前記樹脂溶液の上から、前記被塗装面となる壁紙の塗装を行うステップと、
前記塗装後、該マスキング材の下の前記樹脂溶液を前記マスキング材と一緒に前記壁紙から除去するステップと、
を有する特徴とする壁紙の塗装方法。
【請求項２】
前記樹脂溶液は、酢酸ビニル樹脂およびアクリル樹脂の少なくとも一方、ならびに水を含むことを特徴とする、請求項１に記載の壁紙の塗装方法。
【発明の詳細な説明】
【技術分野】
【０００１】
本発明は建造物の塗装に関し、特に凹凸を有する壁紙（クロス）が貼られた内壁および天井に塗装を行う方法に関する。
【背景技術】
【０００２】
室内の雰囲気を変えるため、内壁および天井の壁紙にカラフルに或いはシックに塗装を施すことは、壁紙を張替えるよりも低コストで、古い壁紙の廃棄物が生じないなどの利点がある。
【０００３】
通常、塗装を行う前にはマスキングテープなどのマスキング材により、塗装の必要がない非塗装領域に塗料が付着しないようマスキング（養生）が行われる（特許文献１）。しかし、壁紙には意匠性を高めることなどを目的に、表面に凹凸を設けたものがあり（特許文献２、３）、凹凸がある壁紙ではマスキング材と壁紙の間を間隙なくマスキングすることは難しい。マスキング材と壁紙の間に間隙がある状態で塗装を行うと、マスキング材の端部から塗料の一部が間隙に入り込む。このため、凹凸のある壁紙に塗装をする場合、塗装後にマスキング材を除去してから、手作業で塗装領域と非塗装領域の境界部分の塗装を修正する必要がある。
【先行技術文献】
【特許文献】
【０００４】
【特許文献１】特許第２９１４２１２号公報
【特許文献２】特開平８−５８０３３号公報
【特許文献３】特開２００１−３３６０９３号公報
【発明の概要】
【発明が解決しようとする課題】
【０００５】
本発明は、このような事情に鑑みてなされたものであり、その目的は凹凸を有する被塗装面であっても、マスキング材の下に塗料が入り込むことがなく、塗装作業を効率的に行うことができる塗装方法を提供することである。
【課題を解決するための手段】
【０００６】
上記課題を解決するために本発明に係る塗装方法は、凹凸を有する被塗装面の非塗装領域をマスキング材でマスキングするステップと、前記マスキング材の端部に沿って樹脂溶液を塗布するステップと、塗布した前記樹脂溶液の上から、前記被塗装面の塗装を行うステップと、を有することを特徴とする。
また、前記樹脂溶液は酢酸ビニル樹脂およびアクリル樹脂の少なくとも一方、ならびに水を含むことを特徴とする。
【発明の効果】
【０００７】
本発明により、凹凸を有する被塗装面であっても、マスキング材の下に塗料が入り込むことがなく、塗装作業を効率的に行うことができる。
【図面の簡単な説明】
【０００８】
【図１】凹凸のある壁紙にマスキングテープでマスキングした状態の断面図である。
【図２】マスキングテープの端部に沿って樹脂溶液を塗布した状態の断面図である。
【図３】樹脂溶液をマスキングテープと壁紙の間隙に充填した状態の断面図である。
【図４】樹脂溶液の上から塗装を行った状態の断面図である。
【図５】塗装後、マスキングテープを剥がした状態の断面図である。
【発明を実施するための形態】
【０００９】
以下、本発明の一実施形態として、表面に凹凸が形成された壁紙を被塗装面とする塗装方法について説明する。
【００１０】
壁紙１に塗装を行う前準備として、従来の方法で壁紙の塗装を必要としない領域である非塗装領域をマスキングテープによってマスキングする。図１は壁紙１の非塗装領域をマスキングテープ２によってマスキングした状態の断面図である。マスキングテープ２は壁紙１の表明に形成された凹凸形状に沿って壁紙１の表面に密着し覆うことができない。このため、壁紙１とマスキングテープ２との間には部分的に間隙が生じている。なお、マスキング材は、マスキングテープの他にマスキングシートなど、接着力が弱く塗装後に容易に壁紙から剥がすことができるものであれば特に限定されるものではない。
【００１１】
非塗装領域をマスキング後、樹脂溶液３をマスキングテープ２から露出している壁紙１の表面とマスキングテープ２の端部に、マスキングテープ２の端部に沿って塗布する。図２は樹脂溶液３が塗布された状態の断面図である。樹脂溶液３を塗布する方法としては、ディスペンサを用いて塗布する方法、刷毛、ヘラ、またはコテを用いて塗布する方法などが利用できる。壁紙上の樹脂溶液３を塗布する領域は、マスキングテープ２の端部から１０ｍｍ以内とすることが好ましい。また、樹脂溶液３としては、酢酸ビニル樹脂、アクリル樹脂などと水を含む溶液が好ましく、より好ましくは酢酸ビニル樹脂に対して、水を３０〜６０質量％含む酢酸ビニル樹脂の溶液が、粘度、塗布性などの点で適している。
【００１２】
塗布された樹脂溶液３は、マスキングテープ２の端部側から、壁紙１とマスキングテープ２の間隙に広がり、図３の断面図に示すようにマスキングテープ２の端部側にある壁紙１とマスキングテープ２の間隙は、樹脂溶液３によって充填される。ディスペンサで樹脂溶液３を塗布する場合、壁紙上に塗布した樹脂溶液３をヘラなどを用いて、マスキングテープ２の端部に向けて広げれば、壁紙上に塗布された樹脂溶液３を壁紙１とマスキングテープ２の間隙に効率良く充填することができる。また、刷毛、ヘラ、コテなどを用いる場合、マスキングテープ２の近傍からマスキングテープ２の端部に向けて樹脂溶液３を塗布することにより、樹脂溶液３をマスキングテープ２と壁紙１の間隙に効率良く充填することができる。
【００１３】
樹脂溶液３を充填後にマスキングテープ２上の余分な樹脂溶液３は、ウエスなどでふき取られる。マスキングテープ２上に樹脂溶液３が厚く残ったままでは、樹脂溶液３が乾燥、硬化するまでに時間がかかる。また、塗装後にマスキングテープ２を剥がすときに乾燥、硬化した樹脂溶液３と共に塗料４も剥がれ、塗装領域と非塗装領域の境界がきれいにならないためである。
【００１４】
樹脂溶液３の塗布後、乾燥、硬化した樹脂溶液３の上から壁紙１の塗装を行う。図４は塗装を行った状態の断面図である。図４に示すように、壁紙１とマスキングテープ２の間の間隙は樹脂溶液３が充填されて埋められているため、塗料４がマスキングテープの下まで広がることなく塗装を行うことができる。
【００１５】
図５は塗装後マスキングテープ２を剥がした状態の断面図である。マスキングテープ２の下の樹脂溶液３は、マスキングテープ２と一緒に壁紙１から除去される。また、塗料４はマスキングテープ２の下には侵入しないので、塗装領域と非塗装領域の境界がきれいな塗装を行うことができ、従来のような塗装後の境界の修正作業などは必要としない。
【００１６】
以上、本発明を実施形態に基づき説明したが、本発明は実施形態例に限定されるものではなく、その要旨を逸脱しない範囲で種々変更が可能である。
【符号の説明】
【００１７】
１            壁紙
２            マスキングテープ
３            樹脂溶液
４            塗料
【図１】
0006550618.tif 000002
【図２】
0006550618.tif 000003
【図３】
0006550618.tif 000004
【図４】
0006550618.tif 000005
【図５】
0006550618.tif 000006